【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示可能な可変表示手段を備え、あらかじめ定められている可変表示の実行条件が成立した後、可変表示の開始条件の成立にもとづいて識別情報の可変表示を開始し、識別情報の可変表示の表示結果が特定の表示結果となったときに遊技者にとって有利な特定遊技状態に移行する遊技機であって、
制御プログラムに従って所定の初期設定処理を実行した後、遊技の進行を制御する遊技制御処理を実行する遊技制御用マイクロコンピュータが搭載された遊技制御基板と、
遊技機で用いられる所定の電源の状態を監視して、遊技機への電力の供給停止にかかわる検出条件が成立したことにもとづいて検出信号を出力する電源監視手段と、
予め定められた監視時間を計測するタイマ手段と、
該タイマ手段により前記監視時間が経過したことが計測されたときに、前記遊技制御用マイクロコンピュータをリセットするリセット手段とを備え、
前記遊技制御用マイクロコンピュータは、
遊技機への電力供給が開始されたときに、前記所定の初期設定処理を実行する前に、プログラムの内容が正当か否かを確認するためのセキュリティチェック処理を実行するセキュリティチェック処理手段と、
前記タイマ手段により計測された時間を初期化させるための初期化処理を前記遊技制御処理において前記監視時間よりも短い期間で定期的に実行する初期化処理手段と、
遊技機への電力供給が停止しても所定期間は記憶内容を保持することが可能であり、遊技の進行に応じて変動する変動データを記憶する変動データ記憶手段と、
前記電源監視手段からの検出信号が出力されたことにもとづいて制御状態を復旧させるために必要なデータを前記変動データ記憶手段に保存するための電力供給停止時処理を実行する電力供給停止時処理実行手段と、
前記電力供給停止時処理が終了した後、前記初期化処理を実行しない待機状態に移行させる停止時待機状態移行手段と、
前記所定の初期設定処理が実行されるときに、前記電源監視手段からの検出信号が出力されているか否かを判定する検出信号判定手段と、
前記検出信号判定手段により検出信号が出力されていると判定された後、該検出信号判定手段による検出信号が出力されているか否かの判定が行われず、かつ、前記初期化処理を実行しない待機状態に移行させる待機状態移行手段と、
待機状態に移行されているときに、前記リセット手段によるリセットがなされたことにもとづいて、待機状態から前記所定の初期設定処理を開始する初期設定処理開始手段と、
前記検出信号判定手段により検出信号が出力されていないと判定されたときに、所定の復旧条件が成立したことを条件に前記変動データ記憶手段に記憶されている記憶内容にもとづいて制御状態を前記電力供給停止時処理が実行される前の状態に復旧させる電力供給開始時処理を実行する電力供給開始時処理手段とを含み、
前記セキュリティチェック処理手段は、前記リセット手段によるリセットがなされたことにもとづいて待機状態から前記所定の初期設定処理を開始する場合には、前記セキュリティチェック処理を実行しない
ことを特徴とする遊技機。
【手続補正２】
【補正対象書類名】明細書
【補正対象項目名】０００１
【補正方法】変更
【補正の内容】
【０００１】
本発明は、各々を識別可能な複数種類の識別情報を可変表示可能な可変表示手段を備え、あらかじめ定められている可変表示の実行条件が成立した後、可変表示の開始条件の成立にもとづいて識別情報の可変表示を開始し、識別情報の可変表示の表示結果が特定の表示結果となったときに遊技者にとって有利な特定遊技状態に移行する遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
【特許文献１】特開２００１−１９０７４３号公報
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明は、制御状態を待機状態から容易に復帰させることができる遊技機を提供することを目的とする。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明による遊技機は、各々を識別可能な複数種類の識別情報を可変表示可能な可変表示手段を備え、あらかじめ定められている可変表示の実行条件が成立（例えば、始動入賞口１４への遊技球の入賞）した後、可変表示の開始条件の成立（例えば、特別図柄の最終停止および大当たり遊技の終了）にもとづいて識別情報の可変表示を開始し、識別情報の可変表示の表示結果（例えば停止図柄）が特定の表示結果（例えば、大当り図柄）となったときに遊技者にとって有利な特定遊技状態（例えば、大当り遊技状態）に移行する遊技機（例えば、パチンコ遊技機１）であって、制御プログラムに従って所定の初期設定処理（例えば、ステップＳ１〜Ｓ１６の処理）を実行した後、遊技の進行を制御する遊技制御処理（例えば、タイマ割込にもとづくステップＳ２１〜Ｓ３６の処理：なお、実施の形態ではタイマ割込処理で遊技制御処理が実行されているが、メイン処理において実行されるようにしてもよい）を実行する遊技制御用マイクロコンピュータ（例えば、ＣＰＵ５６を含む遊技制御用マイクロコンピュータ５６０）が搭載された遊技制御基板と、遊技機で用いられる所定の電源の状態を監視して、遊技機への電力の供給停止にかかわる検出条件が成立したこと（例えば＋３０Ｖ電源の電圧値が＋２２Ｖまで低下したこと）にもとづいて検出信号（例えば電源断信号）を出力する電源監視手段（例えば電源監視回路９２０）と、予め定められた監視時間（例えばタイムアウト時間）を計測するタイマ手段（例えば、ウォッチドッグタイマ６０）と、該タイマ手段により監視時間が経過したことが計測されたときに、遊技制御用マイクロコンピュータをリセットするリセット手段（例えば、遊技制御用マイクロコンピュータ５６０に内蔵されているリセット／割込みコントローラ５０２）とを備え、遊技制御用マイクロコンピュータは、遊技機への電力供給が開始されたときに、所定の初期設定処理を実行する前に、プログラムの内容が正当か否かを確認するためのセキュリティチェック処理を実行するセキュリティチェック処理手段と、タイマ手段により計測された時間を初期化させるための初期化処理を遊技制御処理において監視時間よりも短い期間で定期的に実行する初期化処理手段（例えば、遊技制御用マイクロコンピュータ５６０におけるステップＳ３６を実行する部分）と、遊技機への電力供給が停止しても所定期間は記憶内容を保持することが可能であり、遊技の進行に応じて変動する変動データを記憶する変動データ記憶手段（例えば、電源バックアップされたＲＡＭ５５）と、電源監視手段からの検出信号が出力されたことにもとづいて制御状態を復旧させるために必要なデータを変動データ記憶手段に保存するための電力供給停止時処理を実行する電力供給停止時処理実行手段（例えば、遊技制御用マイクロコンピュータ５６０におけるステップＳ４５０〜Ｓ４８１の処理を実行する部分）と、電力供給停止時処理が終了した後、初期化処理を実行しない待機状態に移行させる停止時待機状態移行手段（例えば、遊技制御用マイクロコンピュータ５６０におけるステップＳ４８１の後に無限ループの処理を実行する部分）と、所定の初期設定処理が実行されるときに、電源監視手段からの検出信号が出力されているか否かを判定する検出信号判定手段（例えば、遊技制御用マイクロコンピュータ５６０におけるステップＳ８３を実行する部分）と、検出信号判定手段により検出信号が出力されていると判定された後、該検出信号判定手段による検出信号が出力されているか否かの判定が行われず、かつ、初期化処理を実行しない待機状態に移行させる待機状態移行手段（例えば、遊技制御用マイクロコンピュータ５６０におけるステップＳ８３の後に無限ループの処理を実行する部分）と、待機状態に移行されているときに、リセット手段によるリセットがなされたことにもとづいて、待機状態から所定の初期設定処理を開始する初期設定処理開始手段（例えば、遊技制御用マイクロコンピュータ５６０がタイムアウト信号の出力にもとづいてメイン処理をステップＳ１から開始する処理を実行する部分）と、検出信号判定手段により検出信号が出力されていないと判定されたときに（ステップＳ８３のＹ）、所定の復旧条件が成立したことを条件に変動データ記憶手段に記憶されている記憶内容にもとづいて制御状態を電力供給停止時処理が実行される前の状態に復旧させる電力供給開始時処理を実行する電力供給開始時処理手段（例えば、遊技制御用マイクロコンピュータ５６０におけるステップＳ７〜Ｓ９，Ｓ９１〜Ｓ９３を実行する部分）とを含み、セキュリティチェック処理手段は、リセット手段によるリセットがなされたことにもとづいて待機状態から所定の初期設定処理を開始する場合には、セキュリティチェック処理を実行しないことを特徴とする。
そのような構成によれば、制御状態を待機状態から容易に復帰させることができる。